【手続補正書】
【提出日】平成18年10月10日(2006.10.10)
【手続補正１】
【補正対象書類名】明細書
【補正対象項目名】特許請求の範囲
【補正方法】変更
【補正の内容】
【特許請求の範囲】
【請求項１】
非熱電子的でありバラスト・フリーの気体放電発光システムであって、
気体媒体の中において離間している電極を有する少なくとも１つの気体放電装置と、
気体放電媒体を所定の圧力で前記電極の間に閉じ込める光透過性のエンベロープと、
直流電流源を含む電源と、
前記直流電流源と前記電極との間に接続されたソリッドステート・スイッチ手段と、
前記スイッチ装置を前記電極に接続する回路と、
を備えており、前記スイッチ装置は、前記電極において実質的に矩形波である交流波を発生するように動作され、よって、前記電極に供給された電圧は管における電子及びイオン密度のパターンがシフトすることができるよりも高速で極性を反転させ、前記管の長さ全体にわたる電子が連続的に加速され、前記矩形波の複数のサイクルにわたって前記管の体積の全体で定常動作においてイオンを生じさせることを特徴とするシステム。
【請求項２】
非熱電子的でありバラスト・フリーの照明システムであって、
離間したランプ電極を有し気体放電媒体が充填されており、前記気体放電媒体を所定の圧力で前記電極の間に閉じ込めている少なくとも１つの光透過性エンベロープと、
一次巻線と二次巻線とを備えた変圧器を有する電源と、
直流電源と、
前記一次巻線と前記直流電源との間に接続されたスイッチ装置と、
前記二次巻線を前記電極に接続する導体と、
を備えており、前記スイッチと前記変圧器の一次巻線とは、前記ランプ電極において実質的に矩形波である交流波を発生するように動作され、よって、前記ランプ電極に供給された電圧は前記エンベロープにおける電子及びイオン密度のパターンがシフトすることができるよりも高速で極性を反転させ、前記エンベロープの長さ全体にわたる電子が連続的に加速され、前記エンベロープの体積全体にわたり定常動作においてイオンを生じさせることを特徴とするシステム。
【請求項３】
気体放電照明システムであって、
少なくとも１つの気体放電装置であって、それぞれが、離間したランプ電極を光透過性のエンベロープの中に有しており、前記エンベロープは気体放電媒体を所定の圧力で前記電極の間に閉じ込めている、少なくとも１つの気体放電装置と、
直流電源と、
前記電極と前記直流電源との間に接続されたソリッドステート・スイッチ装置と、
を備えており、前記ソリッドステート・スイッチ装置は、前記ランプ電極において実質的に矩形波である交流波を発生するように動作され、よって、前記ランプ電極に供給された電圧は前記気体における電子及びイオン密度のパターンがシフトすることができるよりも高速で極性を反転させ、前記放電装置のそれぞれの長さ全体にわたる電子が連続的に加速され、前記矩形波の複数のサイクルにわたって前記ランプ電極の間の前記気体体積全体にわたり定常動作においてイオンを生じさせることを特徴とするシステム。
【請求項４】
気体放電照明システムであって、
気体放電ランプ装置と、
１対の出力端子を有する高周波交流矩形波電圧源と、
前記高周波交流矩形波電圧を前記気体放電ランプ装置に接続して前記蛍光気体放電ランプ装置を非熱電子的に励起して照明させる共振ＬＣフリー回路と、
を組合せとして備えていることを特徴とするシステム。
【請求項５】
請求項４記載のシステムにおいて、前記高周波交流矩形波電圧は約７５ｋＨｚから約３．５ＭＨｚの周波数範囲にあることを特徴とするシステム。
【請求項６】
請求項４記載のシステムにおいて、前記高周波交流矩形波電圧は約１００ｋＨｚの周波数を有することを特徴とするシステム。
【請求項７】
請求項４記載のシステムにおいて、前記気体放電ランプ装置は、少なくとも２つの従来型放電管と、前記放電管を前記１対の出力端子の間で直列に接続する手段とを含むことを特徴とするシステム。
【請求項８】
請求項４記載のシステムにおいて、前記気体放電ランプ装置は、少なくとも３つの気体放電装置と、前記少なくとも３つの気体放電装置を前記１対の出力端子の間で直列に接続する手段とを含むことを特徴とするシステム。
【請求項９】
請求項４記載のシステムにおいて、前記高周波交流矩形波電圧源を前記１対の出力端子における開放回路から保護する手段を含むことを特徴とするシステム。
【請求項１０】
請求項９記載のシステムにおいて、前記保護手段は高速作用ヒューズを含むことを特徴とするシステム。
【請求項１１】
請求項９記載のシステムにおいて、前記保護手段は前記出力端子に接続されたクローバ回路を含むことを特徴とするシステム。
【請求項１２】
請求項４記載のシステムにおいて、前記電圧源は１つ又は複数のスイッチング・トランジスタと発振変圧器とを含むことを特徴とするシステム。
【請求項１３】
照明システムであって、
２つ以上の気体放電ランプ装置と、
１対の出力端子を有する高周波交流矩形波電圧源と、
前記２つ以上の気体放電ランプ装置を前記１対の出力端子と直列に接続して前記１対の気体放電照明装置を非熱電子的に始動して動作させる手段と、
を備えていることを特徴とするシステム。
【請求項１４】
請求項１３記載のシステムにおいて、前記高周波矩形波交流電圧源は約７５ｋＨｚから約３．５ＭＨｚの範囲で動作することを特徴とするシステム。
【請求項１５】
請求項１３記載のシステムにおいて、前記高周波矩形波交流電圧源は約１００ｋＨｚで動作することを特徴とするシステム。
【請求項１６】
請求項１３記載のシステムにおいて、前記放電ランプは、前記１対の出力端子の間で直列に接続された電極を有するネオン充填管であることを特徴とするシステム。
【請求項１７】
請求項１６記載のシステムにおいて、前記ネオン充填管はプラスチックであることを特徴とするシステム。
【請求項１８】
請求項１６記載のシステムにおいて、前記ネオン充填管は可撓性プラスチックで作られていることを特徴とするシステム。
【請求項１９】
請求項１３記載のシステムにおいて、前記矩形波電圧の周波数は約１００ｋＨｚであることを特徴とするシステム。
【請求項２０】
請求項１９記載のシステムにおいて、前記高周波矩形波電圧源を前記１対の出力端子における開放回路から保護する保護回路を含むことを特徴とするシステム。
【請求項２１】
請求項２０記載のシステムにおいて、前記保護回路は高速作用ヒューズを含むことを特徴とするシステム。
【請求項２２】
請求項２０記載のシステムにおいて、前記保護回路は前記出力端子に接続されたクローバ回路を含むことを特徴とするシステム。
【請求項２３】
請求項１３記載のシステムにおいて、前記電圧源から前記ランプ装置に運ばれるエネルギ・レベルを変動させ前記ランプ装置によって放出される視感度レベルを変動させる可変装置を含むことを特徴とするシステム。
【請求項２４】
エンベロープと、前記エンベロープを充填する気体の中の離間した電極とを有する気体放電装置を始動し動作させる非熱電子的な方法であって、
約７５ｋＨｚと４ＭＨｚとの間の周波数を有する矩形波交流電圧源を提供するステップと、
前記電圧源からの矩形波交流を直接に前記気体放電装置の離間した電極に与えることにより、前記ランプの電極上の電圧が前記気体における電子及びイオン密度のパターンがシフトできるよりも高速でその極性を反転させるステップと、
を含むことを特徴とする方法。
【請求項２５】
請求項２４記載の方法において、前記電圧源から前記ランプへのエネルギ・レベルを変動させ前記気体放電装置によって放出される視感度レベルを変動させるステップを含むことを特徴とする方法。
【請求項２６】
電気的光源であって、
サイン又はその一部の形状を有する１つ又は複数の気体充填管と、
前記１つ又は複数の気体充填管のそれぞれの端部における電極と、
前記電極に接続された高周波矩形波交流電圧源と、
を備えていることを特徴とする電気的光源。
【請求項２７】
電気的光源であって、
約７５ｋＨｚから約４ＭＨｚの周波数範囲にある高周波矩形波交流電圧源と、
１つ又は複数のフィラメントが開放されているフィラメント型蛍光管と、
前記フィラメント型蛍光管を前記電圧源に接続する回路手段と、
を組合せとして備えていることを特徴とする電気的光源。